(57)【特許請求の範囲】
【請求項１】
目印体を本体部に形成した目印体取付穴に対して位置調整可能に取り付けて、前記目印体によって天端位置を示すようにした天端出し補助具であって、
前記本体部に、コンクリート構造物を構成する横筋が嵌合される横筋収納部を有した横筋取付部を形成するとともに、前記横筋収納部の下方を、前記横筋取付部の下部に横方向に形成した開口にて、前記横筋に向けて開放させ、
前記開口の開口端縁の一方に、前記本体部の一側面から前記横筋を導入するための導入面を形成し、他方の開口端縁に、前記横筋を案内する案内片を形成するとともに、端部が、前記本体部に形成した目印体取付穴内に対して陥没可能となる目印体押え部を、前記本体部の一部に形成したことを特徴とする天端出し補助具。
【請求項２】
前記本体部に、前記横筋に組み付けられた縦筋の一部に係合する縦筋取付部を形成したことを特徴とする請求項１に記載の天端出し補助具。
【請求項３】
前記本体部に、前記横筋と縦筋との交差部分に当接する交差鉄筋当接部を形成したことを特徴とする請求項１または請求項２に記載の天端出し補助具。
【請求項４】
前記本体部の中心に、前記目印体を位置調整可能に挿通する目印体取付穴を形成するとともに、この目印体取付穴内に、前記目印体に形成したネジ山間に係合することになる目印体係止突起を形成して、
前記目印体を回転させたとき、前記目印体係止突起を基点として、前記目印体が螺進螺退可能となるようにしたことを特徴とする請求項１〜請求項３のいずれかに記載の天端出し補助具。
【発明の詳細な説明】
【技術分野】
【０００１】
本発明は、天端出し補助具に関し、特に、コンクリートによって構成される基礎や構築物の表面の水平を出すために、鉄筋を利用して取り付けられる天端出し補助具に関するものである。
【背景技術】
【０００２】
コンクリート構築物、中でも基礎は、その上に土台を支持するものであり、しかも土台を完全な水平にしなければならないから、その表面（天端）を水平となるように構築しなければならない。一方、基礎のための型枠内に打設される生コンクリートは、流動性がそれ程良くないため、打設しただけでは天端が水平とはならない。このため、打設後の生コンクリートの表面に、セメント量が多く流動性の高い「レベラー」と呼ばれる一種のモルタルをさらに流し込んで、構築された基礎の天端が完全な水平となるような施工がなされている。
【０００３】
以上のような基礎を構築するために、生コンクリートやレベラーを打設するにあたって使用されているのが、天端出し補助具である。この天端出し補助具は、その複数を型枠内に位置決め設置して、その各一部を目印にすることによって、打設すべき生コンクリートやレベラーの表面を規定するものである。
【０００４】
また、この天端出し補助具は、打設された生コンクリート内に立設されるものもあるが、一般的には、作業時に位置がズレないようにするために、型枠内の鉄筋に保持させるタイプのものが、例えば特許文献１や２等において提案されている。
【先行技術文献】
【特許文献】
【０００５】
【特許文献１】特開２００４−１９７５０４号公報、要約
【特許文献２】特開２００４−２８５６０７号公報、要約
【特許文献３】特開２００５−４８５１０号公報、要約
【発明の概要】
【発明が解決しようとする課題】
【０００６】
特許文献１には、「基礎の強度を担保すると共に、天端出し作業の効率性の向上を図る」ことを目的とした「天端出し方法及び天端出し補助具、並びに鉄筋」が、提案されている。この「天端出し方法及び天端出し補助具、並びに鉄筋」は、図１６に示すように、「鉄筋を把持する鉄筋把持部２と調整ネジ体を略鉛直になる様に支持する調整ネジ体支持部３とを有する天端出し補助具１であって、調整ネジ体支持部は、調整ネジ体を進退可能な状態で螺合する受ネジ穴１１を備える」という構成を有するものである。
【０００７】
特に、この特許文献１で提案されている「天端出し補助具１」は、調整ネジ体支持部を、調整ネジ体が進退可能な状態で螺合する受ネジ穴１１を備えるものとしなければならないものとなっているが、この受ネジ穴１１を合成樹脂の一体成形物に備えるようにすることは非常に困難である。この受ネジ穴１１を有する天端出し補助具１を、例えば、互いに開閉される上型及び下型だけで射出成形することは、受ネジ穴１１が複雑な「アンダーカット部」となって、コストアップした天端出し補助具１となるからである。
【０００８】
一方、特許文献２には、「容易であると共に正確なレベル出しを行うことができるコンクリートの水平面出し方法及び水平面出し補助具、並びに鉄筋用スペーサを提供する」を目的とした「コンクリートの水平面出し方法及び水平面出し補助具、並びに鉄筋用スペーサ」が、提案されている。
【０００９】
この特許文献２の「コンクリートの水平面出し方法」は、「調整ネジ体９を略鉛直となる様に鉄筋６に取り付けられた冶具１に取り付け、調整ネジ体の頭部が所定位置となる様に調整を行う。その後、型枠によって形成された打設空間に所定位置に調整された調整ネジ体の頭部の位置までコンクリートを充填する」という構成を有するものであるが、「調整ネジ体９を略鉛直となる様に鉄筋６に取り付けられた冶具１」は、図１７及び図１８に示すように、「基準面から所定の間隔をおいて鉄筋を支持する鉄筋用スペーサと係合する係合部と調整ネジ体を略鉛直になる様に支持する調整ネジ体支持部とを有する水平面出し補助具であって、前記調整ネジ体支持部は、調整ネジ体を進退可能な状態で螺合する受ネジ穴を備える」ものである。
【００１０】
この特許文献２の「水平面出し補助具」についても、調整ネジ体支持部が、調整ネジ体を進退可能な状態で螺合する受ネジ穴を備えるものであるから、このジ穴１１が複雑な「アンダーカット部」となって、上記特許文献１のそれと同様に、合成樹脂を材料とした射出成形する場合に、非常にコストアップしたものとなってしまう、という問題を含んでいる。
【００１１】
また、上記特許文献１でも、特許文献２でも、図１５及び図１６に示すように、鉄筋を把持する「鉄筋把持部２」の内側に、鉄筋のリブと係合する「係合部７」を形成しなければならないものとなっているため、この「係合部７」を射出成形するためには、製造型の工夫を凝らさなければならないから、「水平面（天端）出し補助具」を、非常にコストアップしたものとしてしまう。さらに、この「係合部７」は、「鉄筋把持部２」を開きにくくするものとも考えられるから、当該「鉄筋把持部２」の鉄筋への嵌合が困難になるのではないかとも考えられる。
【００１２】
さらに、特許文献３には、「異形棒鋼等のような形状が不均一な部材や、直径が異なる鉄筋にも確実に固定することができ、レベル設定の自由度が高い天端レベル管理具を提供する」を目的としてなされた「住宅基礎の天端レベル管理具」が提案されている。
【００１３】
この特許文献３の「住宅基礎の天端レベル管理具」は、図１９及び図２０に示すように、「天端レベルの目印となるレベル設定用棒材７と、鉄筋３を両側から挟み込んで固定する対となる挟持部１５，１６およびレベル設定用棒材７の上下位置を調整して保持可能な保持部１７を有する固定部材８とを設け、挟持部１５，１６に、それぞれの掛止位置を調整可能な調整部１９を設ける」ものであり、これにより、「鉄筋３の外径が異なる場合であっても、また、寸法誤差が大きい異形棒鋼であっても、確実に固定することができ、レベル設定用棒材７が傾斜したり上下位置がずれたりすることを防止することができる。また、レベル設定用棒材７が固定部材８に上下位置を調整可能なので、固定部材８を固定した後に天端レベルを微調整することができる。」という機能を発揮するものである。
【００１４】
しかしながら、この特許文献３の「住宅基礎の天端レベル管理具」は、特に、「鉄筋３を両側から挟み込んで固定する対となる挟持部１５，１６」を素手によって挟み込むことは難しいものとなっており、「鉄筋３を両側から挟み込んで挟持部１５，１６を固定する」ことは事実上困難なものとなっている。
【００１５】
そして、この種の天端出し補助具は、図１や図１５等から理解できるように、鉄筋とともにコンクリート構造物内に埋設されてしまうものであり、かつ、水平面の目印とするために多数使用しなければならないものであるから、一個一個は単価の安いものにしなければならない。しかも、この種の天端出し補助具は、コンクリート構造物自体を構成するものではなくて、水平面の単なる目印とするものであるから、どこでも簡単に取り付けられるものでなければならない。
【００１６】
そこで、本発明者等は、この種の天端出し補助具について、取り付け作業がし易く、安価に提供するにはどうしたらよいか、について種々検討を重ねてきた結果、配筋された鉄筋の内の「横筋」はコンクリート構造物の広範囲に亘って、しかも略水平状態で存在していること、「縦筋」は部分的にしか存在していないこと、に気付き、本発明を完成したのである。
【００１７】
すなわち、本発明の目的とするところは、横筋の何処にでも素手で簡単に取り付けることができて、その取り付け位置の調整も容易に行うことができ、構造を簡単にして安価に提供することもできる天端出し補助具を提供することにある。
【課題を解決するための手段】
【００１８】
以上の課題を解決するために、まず、請求項１に係る発明の採った手段は、後述する実施形態の説明中で使用する符号を付して説明すると、
「目印体１２を本体部１１に形成した目印体取付穴１１ａに対して位置調整可能に取り付けて、目印体１２によって天端位置を示すようにした天端出し補助具１０であって、
本体部１１に、コンクリート構造物を構成する横筋２１が嵌合される横筋収納部１３ｂを有した横筋取付部１３を形成するとともに、横筋収納部１３ｂの下方を、横筋取付部１３の下部に横方向に形成した開口１３ａにて、横筋２１に向けて開放させ、
開口１３ａの開口端縁の一方に、本体部１１の一側面から横筋２１を導入するための導入面１３ｄを形成し、他方の開口端縁に、横筋２１を案内する案内片１３ｃを形成するとともに、端部が、本体部１１に形成した目印体取付穴１１ａ内に対して陥没可能となる目印体押え部１１ｃを、本体部１１の一部に形成したことを特徴とする天端出し補助具１０」
である。
【００１９】
この請求項１に係る天端出し補助具１０は、まず、目印体１２を本体部１１に対して位置調整可能に取り付けたものであり、この目印体１２の生コンポインター１２ｂもしくはレベラーポインター１２ｃによって、生コンクリート３１もしくはレベラー３２の天端位置を示すようにしたものであって、その基本的機能の、以下に詳述する部分以外は、上記特許文献１または２のそれと同じである。
【００２０】
すなわち、この請求項１に係る天端出し補助具１０の第一の特徴は、コンクリート構造物を構成する横筋２１が嵌合される横筋収納部１３ｂを有した横筋取付部１３が本体部１１に形成してあることである。横筋２１は、コンクリート構造物を構築するための型枠内の略全域に亘って存在しているものであるから、これらの横筋２１に当該天端出し補助具１０の取付場所を選定するにあたっては、相当自由に行える。また、横筋２１は、略水平に配筋されているから、この横筋２１を横筋収納部１３ｂ内に収納するように当該天端出し補助具１０を設置すれば、本体部１１に案内されている目印体１２は略垂直方向に自然と向くことになる。勿論、この横筋収納部１３ｂ内には、特許文献１及び２におけるような、鉄筋のリブ（節２１ａ）と係合する「係合部７」は形成されていないのであるから、横筋収納部１３ｂへの横筋２１の嵌合を行う際の、横筋取付部１３の開きが行えるだけでなく、当該天端出し補助具１０を横筋２１に嵌合したまま、その横方向位置についての微調整も行える。
【００２１】
また、この請求項１に係る天端出し補助具１０の第二の特徴は、横筋収納部１３ｂの下方を、横筋取付部１３の下部に横方向に形成した開口１３ａにて、横筋２１に向けて開放させたことである。換言すれば、この天端出し補助具１０の横筋２１に対する嵌合は、横筋収納部１３ｂの下方によって行うのであり、横筋２１は作業者の手元の下側にあることが多いから、当該天端出し補助具１０の嵌合作業は、作業者が下を向いて行えること、つまり自然な体勢で行えるのである。一方で、横筋収納部１３ｂの上方は閉じられたままとなっているから、横筋２１に嵌合された天端出し補助具１０は、当該横筋２１上に乗った状態で保持されるのであり、横筋２１に対する横筋収納部１３ｂ内の摩擦力もあって、安定した状態で横筋２１に保持されるのである。
【００２２】
このとき重要になってくるのが、第三の特徴である、横筋取付部１３に形成した案内片１３ｃと導入面１３ｄである。まず、導入面１３ｄから説明すると、この導入面１３ｄは、図２の（ｂ）及び図３に示すように、開口１３ａの開口端縁の一方、つまり、本体部１１の一側面（図３では図示右側面であり、当該横筋取付部１３が一体化されている側の本体部１１の側面）とほぼ同一の平面を構成するように形成したものである。これにより、当該天端出し補助具１０を横筋２１に取付けるにあたって、図３の（ａ）に示すように、作業者が当該天端出し補助具１０の本体部１１の一側面を横筋２１に当接させ、図３の（ａ）中の矢印に示すように当該天端出し補助具１０をそのまま押し下げれば、横筋取付部１３の開口１３ａは自然に横筋２１に向かうことになる。
【００２３】
一方、案内片１３ｃは、開口１３ａの、上記横筋２１を導入するための導入面１３ｄとは反対側の開口端縁に形成してあるから、図３の（ｂ）及び（ｃ）に示すように、開口１３ａに向かってきた横筋２１を受け止めるとともに、この横筋２１を開口１３ａから横筋収納部１３ｂ内へと案内することになる。そこで、作業者が、当該天端出し補助具１０をさらに強く横筋２１に向けて押し込めば、受けた力によって案内片１３ｃが、図３の（ｂ）中の矢印に示すように、外方に押し出され、結果的に当該横筋取付部１３の開口１３ａを拡開することになる。そうなれば、横筋２１が、図３の（ｃ）に示すように、横筋取付部１３の横筋収納部１３ｂ内に完全に収納されるとともに開口１３ａが閉じるから、当該天端出し補助具１０は横筋２１に取付けられることになるのである。
【００２４】
以上の当該天端出し補助具１０の取付操作を順に纏めてみると、作業者は、横筋取付部１３の開口１３ａが下に向くようにして当該天端出し補助具１０を手で持ち、型枠内の殆んど何処にでも配筋されている横筋２１の適宜箇所に、本体部１１の横筋取付部１３が一体化されている一側面を当接させる。そして、そのまま当該天端出し補助具１０を横筋２１に向けて押し下げれば、当該天端出し補助具１０は横筋取付部１３の開口１３ａにて横筋２１に嵌り込むため、当該天端出し補助具１０は横筋２１に取付けられることになる。このとき、本体部１１は、横筋２１に取付けられているためほぼ水平になっている横筋取付部１３に対してほぼ垂直となっているから、この本体部１１に取付けられた目印体１２もほぼ垂直になるのである。なお、横筋取付部１３は、横筋２１の半径方向に少し回動していて、目印体１２がほぼ垂直になっていないこともあり得るが、そのときには、当該天端出し補助具１０全体を横筋２１の半径方向に回動させて、目印体１２がほぼ垂直になるように微調整すればよい。
【００２５】
以上の通り、この天端出し補助具１０は、目印体１２と、この目印体１２を上下位置調整可能に支持する本体部１１と、この本体部１１を横筋２１に取り付けるための横筋取付部１３とからなり、しかも、開口１３ａの開口端縁の一方に、本体部１１の一側面から横筋２１を導入するための導入面１３ｄを形成し、他方の開口端縁に、横筋２１を案内する案内片１３ｃを形成した簡単な構成のものであり、例えば合成樹脂による一体成形を本体部１１及び横筋取付部１３について行える。このため、天端出し補助具１０全体として、非常に安価なものとすることが十分可能になっているのである。
【００２６】
勿論、横筋２１に嵌合された各天端出し補助具１０は、その本体部１１に対して上下方向に位置調整される目印体１２を有しているのであるから、この目印体１２によって、打設される生コンクリート３１や、その上のレベラー３２についての天端（表面）位置の規定を行うことになることは、従来技術のそれと同様である。
【００２７】
また、この請求項１に係る天端出し補助具１０については、端部が、本体部１１に形成した目印体取付穴１１ａ内に対して陥没可能となる目印体押え部１１ｃを、本体部１１の一部に形成してある。
【００２８】
すなわち、この請求項１に係る天端出し補助具１０は、その本体部１１に目印体１２が挿入されるべき目印体取付穴１１ａを形成したものであり、本体部１１の一部に目印体押え部１１ｃを形成したものである。この目印体押え部１１ｃを形成するにあたっては、その端部と本体部１１との間に、例えば図４の（ｃ）に示すように、離間部を積極的に形成しておき、当該目印体押え部１１ｃが本体部１１に対して揺動可能となるようにしてある。そして、この目印体押え部１１ｃは、目印体取付穴１１ａ内に目印体１２が存在しない場合に、端部が目印体取付穴１１ａ内に陥没した状態となるようにしてあるのである。
【００２９】
つまり、この目印体押え部１１ｃは、図４の（ｃ）に示すように、目印体取付穴１１ａ内に目印体１２が存在しない場合に、端部が目印体取付穴１１ａ内に陥没しているものであり、目印体取付穴１１ａ内に目印体１２が挿入されてくると、この目印体１２によって端部が目印体取付穴１１ａの外側に押し出されようとし、目印体１２の一部を弾発的に押圧するものである。
【００３０】
換言すれば、目印体取付穴１１ａ内に挿入された目印体１２は、目印体押え部１１ｃによって目印体取付穴１１ａの内壁に弾発的に押え付けられるのであり、目印体１２は目印体押え部１１ｃによってガタ付きがないように目印体取付穴１１ａに対して支持されるのである。
【００３１】
従って、この請求項１に係る天端出し補助具１０は、横筋２１の何処にでも素手で簡単に取り付けることができて、その取り付け位置の調整も容易に行うことができ、簡単に製造することもできて、しかも安価に提供することができるものとなっているのである。
【００３２】
また、この請求項１に係る天端出し補助具１０は、前述した機能を発揮する他に、目印体１２を目印体押え部１１ｃによってガタ付きがないように目印体取付穴１１ａに対して支持するのである。
【００３３】
上記課題を解決するために、請求項２に係る発明の採った手段は、上記請求項１に記載の天端出し補助具１０について、
「本体部１１に、横筋２１に組み付けられた縦筋２２の一部に係合する縦筋取付部１４を形成したこと」
である。
【００３４】
この請求項２に係る天端出し補助具１０は、請求項１のそれと同様に、横筋取付部１３にて横筋２１の任意の位置に取付け可能にした点は踏襲しているものではあるが、横筋２１に組み付けられた縦筋２２が存在する箇所で積極的に使用することで、この縦筋２２を利用して、横筋２１に対する回動を簡単に止められるようにするものである。この横筋２１に対する天端出し補助具１０の回動止めを行うのが、本体部１１に形成した縦筋取付部１４なのである。
【００３５】
縦筋取付部１４は、本体部１１の下端に一体的に形成したものであり、図１と、図２の（ａ）及び（ｃ）に示すように、本体部１１の下端から、横筋取付部１３の延在方向とは反対側に伸びたものである。また、この縦筋取付部１４は、図２の（ｃ）及び図３の（ｂ）に示すように、その平面視形状が二又となっているものであり、この二又の間に、図１に示すように、縦筋２２を嵌め込めるようにしたものである。勿論、この縦筋取付部１４は、縦筋２２に係止できるのであれば種々な形状のものが採用できるものであり、必ずしも、平面視が二又となるようにする必要はない。
【００３６】
この天端出し補助具１０を、図１に示すように、その横筋取付部１３にて横筋２１に取付けて、かつこの横筋２１に組み付けられた縦筋２２の一部に縦筋取付部１４を係合させれば、当該天端出し補助具１０は、その縦筋取付部１４によって横筋２１に対する回動が阻止されることになるのである。なお、横筋取付部１３にて横筋２１に取付けた天端出し補助具１０は、この横筋２１に対してある程度横方向に移動できるものであるから、横筋取付部１３にて横筋２１に取付けた後に天端出し補助具１０を移動させることにより、縦筋取付部１４での縦筋２２に対する取り付けを行うようにすると、作業が簡単に行える。
【００３７】
従って、この請求項２に係る天端出し補助具１０は、上記請求項１のそれと同様な機能を発揮する他、縦筋取付部１４の縦筋２２に対する係合を行うことによって、横筋２１に対する回動を阻止し得るものとなっているのである。
【００３８】
また、請求項３に係る発明の採った手段は、上記請求項１または請求項２に記載の天端出し補助具１０について、
「本体部１１に、横筋２１と縦筋２２との交差部分に当接する交差鉄筋当接部１５を形成したこと」
である。
【００３９】
この請求項３に係る天端出し補助具１０は、請求項１のそれと同様に、横筋取付部１３にて横筋２１の任意の位置に取付け可能にした点は踏襲しているものではあるが、横筋２１に組み付けられた縦筋２２が存在する箇所で積極的に使用することで、この縦筋２２を利用して、横筋２１に対する回動を簡単に止められるようにするものである。この横筋２１に対する天端出し補助具１０の回動止めを行うのが、本体部１１に形成した交差鉄筋当接部１５なのである。
【００４０】
交差鉄筋当接部１５は、横筋２１と縦筋２２との交差部分に当接するものであるから、図９に示すように、本体部１１の、横筋取付部１３の近傍に位置する部分に一体化されるものである。この部分には、請求項２に係る天端出し補助具１０の縦筋取付部１４が一体化されることはないから、この交差鉄筋当接部１５を単独で使用することは勿論、この交差鉄筋当接部１５と共に上記縦筋取付部１４を採用することは十分可能である。
【００４１】
そして、この交差鉄筋当接部１５は、図８に示すように、当該天端出し補助具１０を横筋２１に取付けた後に、横筋２１と縦筋２２との交差部分に当接されるのであるが、これによって、当該天端出し補助具１０は、横筋取付部１３にての横筋２１に対する回動が阻止されることになる。
【００４２】
従って、この請求項３に係る天端出し補助具１０は、上記請求項１または請求項２のそれと同様な機能を発揮する他、横筋２１と縦筋２２との交差部分に交差鉄筋当接部１５を当接させることによって、横筋２１に対する回動を阻止し得るものとなっているのである。
【００４３】
さらに、請求項４に係る発明の採った手段は、上記請求項１〜請求項３のいずれかに記載の天端出し補助具１０について、
「本体部１１の中心に、目印体１２を位置調整可能に挿通する目印体取付穴１１ａを形成するとともに、この目印体取付穴１１ａ内に、目印体１２に形成したネジ山１２ａ間に係合することになる目印体係止突起１１ｂを形成して、
目印体１２を回転させたとき、目印体係止突起１１ｂを基点として、目印体１２が螺進螺退可能となるようにしたこと」
である。
【００４４】
すなわち、この請求項４の天端出し補助具１０は、本体部１１の目印体取付穴１１ａに目印体１２を進退可能に取付けるにあたって、目印体取付穴１１ａをネジ穴にしなくても、つまり、単なる丸穴であっても、目印体係止突起１１ｂを形成しておくだけで、目印体１２の本体部１１に対する螺進螺退が可能となるようにしたものである。
【００４５】
目印体取付穴１１ａ内に形成した目印体係止突起１１ｂは、図２、図４の（ｃ）、図６、図８及び図９の各（ｂ）、図１０及び図１１の各（ｂ）、そして図１２に示すように、目印体取付穴１１ａの軸心方向に対して僅かに傾斜した状態のものである。また、この目印体係止突起１１ｂは、図７の（ａ）あるいは（ｂ）に示す目印体１２の各ネジ山１２ａ間に入る程度の大きさで、かつ、その傾斜角度は、ネジ山１２ａの傾斜角度と同じにしたものである。このような目印体係止突起１１ｂは、後述する実施形態で説明するような方法で、本体部１１の目印体取付穴１１ａ内に形成されるものであり、本体部１１の目印体取付穴１１ａが単なる丸穴であっても、本体部１１に対する目印体１２の螺進螺退を可能にするのである。
【００４６】
この目印体係止突起１１ｂは、目印体１２を目印体取付穴１１ａ内に挿入して回転させたとき、目印体１２のネジ山１２ａに係合するのであり、目印体１２は、当該目印体係止突起１１ｂを基点として螺進螺退するのである。つまり、この目印体係止突起１１ｂが単なる丸穴である目印体取付穴１１ａ内に形成してあるだけで、目印体１２は本体部１１に対して上下方向の位置調整が螺進螺退によってなされるのである。
【００４７】
従って、この請求項４に係る天端出し補助具１０は、上記請求項１〜請求項３のいずれかに係るそれと同様な機能を発揮する他、目印体取付穴１１ａが単なる丸穴であっても、目印体係止突起１１ｂを形成しておくだけで、目印体１２の本体部１１に対する螺進螺退を可能とするものである。
【発明の効果】
【００４８】
以上、説明した通り、本発明においては、
「目印体１２を本体部１１に形成した目印体取付穴１１ａに対して位置調整可能に取り付けて、目印体１２によって天端位置を示すようにした天端出し補助具１０であって、
本体部１１に、コンクリート構造物を構成する横筋２１が嵌合される横筋収納部１３ｂを有した横筋取付部１３を形成するとともに、横筋収納部１３ｂの下方を、横筋取付部１３の下部に横方向に形成した開口１３ａにて、横筋２１に向けて開放させ、
開口１３ａの開口端縁の一方に、本体部１１の一側面から横筋２１を導入するための導入面１３ｄを形成し、他方の開口端縁に、横筋２１を案内する案内片１３ｃを形成するとともに、端部が、本体部１１に形成した目印体取付穴１１ａ内に対して陥没可能となる目印体押え部１１ｃを、本体部１１の一部に形成したこと」
にその構成上の主たる特徴があり、これにより、横筋２１の何処にでも素手で簡単に取り付けることができて、その取り付け位置の調整も容易に行うことができ、構造を簡単にして安価に提供することもできる天端出し補助具１０を提供することができるのである。
【００４９】
また、本発明に係る天端出し補助具１０は、上記効果を発揮する他、目印体１２を目印体押え部１１ｃによってガタ付きがないように、目印体取付穴１１ａに対して支持することができるものとなっているのである。
【図面の簡単な説明】
【００５０】
【図１】本発明の実施例１に係る天端出し補助具１０を鉄筋に取付けた状態の斜視図である。
【図２】同天端出し補助具１０の目印体１２以外の一体化部分を示すもので、（ａ）は正面図、（ｂ）は側面図、（ｃ）は平面図である。
【図３】同天端出し補助具１０の目印体１２以外の一体化部分を横筋２１に取付ける様子を示すもので、（ａ）は本体部１１を横筋２１に当接させたときの側面図、（ｂ）は横筋２１を開口１３ａに当てたときの部分側面図、（ｃ）は横筋２１を横筋収納部１３ｂ内に収納したときの部分側面図である。
【図４】同天端出し補助具１０の各部を拡大して示すもので、（ａ）は横筋取付部１３の側面図、（ｂ）は交差鉄筋当接部１５の平面図、（ｃ）は本体部１１の平面図である。
【図５】同天端出し補助具１０の本体部１１の、図２の（ａ）に示した各位置での拡大横断面図を示すもので、（ａ）は１−１線部を、（ｂ）は２−２線部を、（ｃ）は３−３線部を、（ｄ）は４−４線部を、それぞれ示すものである。
【図６】同天端出し補助具１０の本体部１１における目印体係止突起１１ｂ及び目印体押え部１１ｃの位置関係を拡大して示すもので、（ａ）は本体部１１の部分横断面図、（ｂ）は本体部１１の部分縦断面図である。
【図７】本発明に係る天端出し補助具１０の本体部１１に組み付けられる目印体１２の拡大斜視図であり、（ａ）は全体を合成樹脂で一体成形したもの、（ｂ）はネジ山１２ａを金属によって形成し他の部分を合成樹脂によって形成したものを示す。
【図８】本発明の実施例２に係る天端出し補助具１０を示すもので、（ａ）は鉄筋に取付けた状態の斜視図、（ｂ）は同平面図である。
【図９】同天端出し補助具１０の目印体１２以外の一体化部分を示すもので、（ａ）は正面図、（ｂ）は側面図、（ｃ）は平面図である。
【図１０】同天端出し補助具１０の各部を拡大して示すもので、（ａ）は横筋取付部１３の側面図、（ｂ）は本体部１１の平面図である。
【図１１】同天端出し補助具１０の本体部１１の、図９の（ｂ）に示した各位置での拡大横断面図を示すもので、（ａ）は５−５線部を、（ｂ）は６−６線部を、（ｃ）は７−７線部を、（ｄ）は８−８線部を、それぞれ示すものである。
【図１２】同天端出し補助具１０の本体部１１における目印体係止突起１１ｂ及び目印体押え部１１ｃの位置関係を拡大して示すもので、（ａ）は本体部１１の部分横断面図、（ｂ）は本体部１１の部分縦断面図である。
【図１３】本発明に係る天端出し補助具１０に適用される横筋取付部１３の他の例を示す斜視図であり、（ａ）は互いに対称となっている二つの横筋取付部１３を本体部１１に一体化したもの、（ｂ）は一つの横筋取付部１３ではあるが、大小二種類の横筋収納部１３ｂを二段に形成したものを示す。
【図１４】同天端出し補助具１０を施工した後の状況を連続して示すもので、（ａ）は型枠内の鉄筋に天端出し補助具１０を取付けた様子を示す正面図、（ｂ）は型枠内に生コンクリート３１を打設した後の斜視図である。
【図１５】同天端出し補助具１０を施工した後の状況を連続して示すもので、（ａ）は型枠内に生コンクリート３１を打設した後に目印体１２のレベラーポインター１２ｃが露出している様子を示す斜視図、（ｂ）はレベラー３２を打設している様子を示す斜視図、（ｃ）はレベラー３２打設後の縦断面図である。
【図１６】特許文献１に示された技術を示す図である。
【図１７】特許文献２に示された技術を示す図である。
【図１８】特許文献２に示された技術を示す図である。
【図１９】特許文献３に示された技術を示す図である。
【図２０】特許文献３に示された技術を示す図である。
【発明を実施するための形態】
【００５１】
次に、上記のように構成した各請求項に係る発明を、図面に示した実施の形態である天端出し補助具１０について説明するが、この実施形態は、実施例１と実施例２の２種類があるので、それぞれ項を分けて説明する。また、これらの実施例には、共通する部分が多々あるから、各実施例の前に、これら共通部分を先に説明する。
【００５２】
まず、本発明に係る天端出し補助具１０は、例えば図７に示したような形態のものに別途形成した目印体１２と、合成樹脂を材料として一体的に成形した他の部分と、の２つに分かれる。換言すれば、本発明に係る天端出し補助具１０の、目印体１２以外の部分は、合成樹脂を材料として一体成形したものであり、これにより、製造を容易にし、かつ安価なものに仕上げるようにしているのである。
【００５３】
一方、目印体１２は、図７に示したように、その大部分がネジ山１２ａを形成した棒状のものであり、この上部に上から順に、レベラー３２の完成された上面のための目印となるレベラーポインター１２ｃ、及び型枠内に打設される生コンクリート３１の上面のための目印となる生コンポインター１２ｂを形成したものである。なお、この目印体１２の下端には、本体部１１の目印体取付穴１１ａに挿入できるようにするための差込部分が形成してある。
【００５４】
また、これらの目印体１２は、図７の（ａ）に示したような、全ての部分を合成樹脂で一体成形したものや、図７の（ｂ）に示したような、ネジ山１２ａ部分だけ、あるいはネジ山１２ａと軸部分を金属材料によって形成したもの等、種々なものが考えられる。
【００５５】
また、本発明に係る天端出し補助具１０は、図１４の（ａ）に示したように、生コンクリート３１等を打設するための空間を形作る型枠内に配筋された横筋２１に、多数取り付けられるものである。横筋２１に取付けられた各天端出し補助具１０については、これが有している目印体１２のレベラーポインター１２ｃ等が同一水平面内に位置するように、レーザー光線等を使用して各目印体１２の位置調整がなされる。
【００５６】
各天端出し補助具１０における目印体１２の位置調整が済めば、図１４の（ｂ）に示したように、生コンポインター１２ｂが示す位置まで生コンクリート３１が打設されるのであり、これが完了すれば、図１５の（ａ）に示したように、生コンクリート３１の表面にはレベラーポインター１２ｃのみが露出する。次に、図１５の（ｂ）に示したように、生コンクリート３１上にレベラー３２を打設するのであるが、この場合、レベラーポインター１２ｃが指し示す位置まで打設が行われるのである。打設された生コンクリート３１やレベラー３２が硬化すれは、図１５の（ｃ）に示したように、レベラー３２によって完全平面が形成されて、天端出し補助具１０が埋め殺されたコンクリート構造物が完成する。
【００５７】
型枠内に配筋された鉄筋としては、図１４の（ａ）に示したように、基本的には横筋２１と縦筋２２が採用されている。横筋２１は、例えば、コンクリート基礎の場合、殆ど何処にでも存在するものであり、本発明に係る天端出し補助具１０の取付場所とするには、場所の制限が発生しないから、うってつけのものとなっている。また、この横筋２１は、配筋されるときには、殆ど水平となるようになされるため、もし、この横筋２１に取付ける部分が天端出し補助具１０にあれば、この取付部分は、常に水平となり得ることになる。
【００５８】
勿論、横筋２１に縦筋２２を連結して、鉄筋全体として剛性のあるものとなされるのであるが、この横筋２１と縦筋２２との連結部分、つまり横筋２１と縦筋２２との交差部分では、スポット溶接によって固定されることもあるが、施工現場に溶接機を導入して溶接作業を行うことは費用が掛かるため、一般的には、図８に示すように、結束線２３を使用した固定が行われる。固定部分における結束線２３は、図８の（ｂ）に示したように、縦筋２２から節２１ａ以外の突出部分を形成するものである。
【００５９】
（実施例１）
図１〜図６には、本発明の実施例１に係る天端出し補助具１０が示してある。この天端出し補助具１０は、図１及び図２に示したように、上下方向に配置されることになる本体部１１と、この本体部１１の一側面に一体化した横筋取付部１３と、本体部１１の下部であって上記横筋取付部１３とは反対側に突出する縦筋取付部１４とを、合成樹脂を材料として一体成形するとともに、上記本体部１１の目印体取付穴１１ａに位置調整可能に取付けた、図７に示した目印体１２とにより構成したものである。
【００６０】
本体部１１は、本実施形態に係るものの場合、図２の（ｃ）に示したように、平面視略四角形状のもので、図２の（ａ）及び（ｂ）にも示したように、四角柱形状のものとなっている。この本体部１１の中心には、図１及び図５に示すように、目印体１２を位置調整可能に取付けるための目印体取付穴１１ａが形成してある。この目印体取付穴１１ａは、本体部１１等を合成樹脂の射出成形による成形時に同時成形するためと、目印体１２を「ネジ形式」のものにするために、以下のように種々な工夫がしてある。
【００６１】
まず、この目印体取付穴１１ａの基本的形態は、図５の（ａ）〜（ｄ）に示したように、殆どストレートな穴としてあって、ネジである目印体１２のネジ山１２ａに応じた「ネジ溝」とはしていない。本体部１１の射出成形によって、目印体取付穴１１ａを「ネジ溝」とすることは、当該天端出し補助具１０の製造の型代や時間を増大させ、結果的に天端出し補助具１０全体のコストアップとなるからである。しかし、ネジ山１２ａを有する目印体１２を使用することは、目印体１２の位置調整を円滑に行えるようにするから、ネジ山１２ａを有する目印体１２に応じた目印体取付穴１１ａとするために、本実施形態では、図２の（ｂ）及び（ｃ）などに示したように、目印体取付穴１１ａの内面の一部分に目印体係止突起１１ｂを形成したのである。
【００６２】
目印体係止突起１１ｂは、図６の（ａ）及び（ｂ）等に示したように、目印体１２のネジ山１２ａに嵌合できる、つまり目印体１２に形成したネジ山１２ａ間に係合することになる部分的な「ネジ山」にしたもので、図６の（ａ）に示したように、平面視円弧状で、かつ図６の（ｂ）に示したように、側面視斜め線状のものである。そして、この目印体係止突起１１ｂが目印体１２のネジ山１２ａに確実に歯合するようにするために、当該目印体係止突起１１ｂは本体部１１の目印体押え部１１ｃに形成してある。
【００６３】
目印体押え部１１ｃは、本体部１１の一部に形成されて、この本体部１１の目印体取付穴１１ａ内に端部が陥没可能となるようにしたものである。つまり、この目印体押え部１１ｃは、図４の（ｃ）及び図６に示したように、目印体係止突起１１ｂが形成されるべき部分と本体部１１の他の部分との間に、図６に示したように「離間部」を形成して、目印体１２が挿入されないときに、その図６の（ａ）の左端部分が、目印体取付穴１１ａ内に僅かに陥没した状態となるようにしたものである。
【００６４】
この目印体押え部１１ｃが図６の（ａ）に示した状態にあれば、目印体取付穴１１ａ内に目印体１２が挿入されてきたとき、目印体押え部１１ｃの内面に形成してあった目印体係止突起１１ｂは、目印体１２のネジ山１２ａに食い込むことになり、目印体１２を目印体取付穴１１ａ内面に強く押すことになる。換言すれば、この目印体押え部１１ｃは、目印体１２のネジ山１２ａの外形が目印体取付穴１１ａの内径より小さいときには、自身が目印体取付穴１１ａ内に陥没していることによって目印体１２を目印体取付穴１１ａ内壁に押え付けるのであり、逆に、目印体１２のネジ山１２ａの外形が目印体取付穴１１ａの内径より大きいときには、図６の（ａ）中の矢印にて示したように、自身が外方に撓んで目印体１２の挿通を可能にするのである。
【００６５】
このような目印体押え部１１ｃや、その内面に形成してある目印体係止突起１１ｂを、本体部１１に形成するには、図２の（ｂ）に示したように、四角柱状に形成してある本体部１１の一側面の開口から、型の一部あるいはスライドコアを天端出し補助具１０内に挿入するような成形方を採用すればよい。なお、目印体取付穴１１ａの他の部分も、本体部１１の側面に形成した開口を利用することにより、同様に形成できる。
【００６６】
さて、横筋取付部１３であるが、この横筋取付部１３は、図１及び図２に示したように、上記本体部１１に対して直交する方向、つまり本体部１１を垂直方向に配置したとき、当該横筋取付部１３が水平方向となるように本体部１１に一体化したものである。この横筋取付部１３の下部には、図２の（ｂ）及び図４の（ａ）に示したように、横方向、つまり横筋２１と平行となるような開口１３ａが形成してあり、この横筋取付部１３の内部には、横筋２１が収納されるべき横筋収納部１３ｂが形成してある。そして、開口１３ａの開口端部の両側には、案内片１３ｃと導入面１３ｄとが一体的に形成してある。
【００６７】
まず、導入面１３ｄから説明すると、この導入面１３ｄは、図２の（b）、図３、及び図４の（a）に示したように、開口１３ａの開口端縁の一方に形成したものであり、図２の（a）に示したように、当該横筋取付部１３の全長に亘って形成したものである。この導入面１３ｄは、図３の（a）及び（b）に示したように、当該天端出し補助具１０を横筋２１に取付けるにあたっての、本体部１１の一側面から横筋２１を導入するための、文字通り「導入面」を形成するものである。
【００６８】
すなわち、この導入面１３ｄは、図２の（ｂ）及び図３に示したように、開口１３ａの開口端縁の一方、つまり、本体部１１の一側面（図３では図示右側面であり、当該横筋取付部１３が一体化されている側の本体部１１の側面）とほぼ同一の平面を構成するように形成したものである。これにより、当該天端出し補助具１０を横筋２１に取付けるにあたって、図３の（ａ）に示したように、作業者が当該天端出し補助具１０の本体部１１の一側面を横筋２１に当接させ、図３の（ａ）中の矢印に示したように、当該天端出し補助具１０をそのまま押し下げれば、横筋取付部１３の開口１３ａは自然に横筋２１に向かうことになる。
【００６９】
一方、案内片１３ｃは、開口１３ａの、上記横筋２１を導入するための導入面１３ｄとは反対側の開口端縁に、当該横筋取付部１３の全長に亘って形成したものであり、横筋２１を横筋収納部１３ｂ内に案内するためのものである。すなわち、この案内片１３ｃは、図３の（ｂ）及び（ｃ）に示したように、開口１３ａに向かってきた横筋２１を受け止めるとともに、この横筋２１を開口１３ａから横筋収納部１３ｂ内へと案内するものである。つまり、当該天端出し補助具１０を横筋２１に取付けるにあたって、作業者が当該天端出し補助具１０を強く横筋２１に向けて押し込めば、受けた力によって案内片１３ｃが、図３の（ｂ）中の矢印に示したように、外方に押し出され、結果的に当該横筋取付部１３の開口１３ａを拡開する。そうなれば、横筋２１が、図３の（ｃ）に示したように、横筋取付部１３の横筋収納部１３ｂ内に完全に収納されるとともに開口１３ａが閉じることになるから、当該天端出し補助具１０を横筋２１にしっかりと取付けることになるのである。
【００７０】
そして、本体部１１の下部に一体化した縦筋取付部１４であるが、本実施例１においては、図１、図２の（ｃ）、及び図４の（ｂ）に示したように、この縦筋取付部１４は、横筋取付部１３の延在方向とは反対側に伸び、かつ、縦筋２２の外側を挟み込めるような二又形状にしたものである。この縦筋取付部１４は、当該天端出し補助具１０が横筋取付部１３によって鉄筋の特に横筋２１にしっかりと取付けられるのであれば、天端出し補助具１０を構成するにあたって必ずしも必要なものではない。しかしながら、この縦筋取付部１４は、存在していると次のようなメリットがある。
【００７１】
この天端出し補助具１０を、図１に示したように、その横筋取付部１３にて横筋２１に取付けて、かつこの横筋２１に組み付けられた縦筋２２の一部に縦筋取付部１４を係合させれば、当該天端出し補助具１０は、その縦筋取付部１４によって横筋２１に対する回動を阻止されることになるのである。つまり、この縦筋取付部１４は、横筋２１に組み付けられた縦筋２２が存在する箇所で積極的に使用することで、この縦筋２２を利用して、横筋２１に対する回動を簡単に止められるようにしたものである。
【００７２】
（実施例２）
図８〜図１２には、本発明の実施例２に係る天端出し補助具１０が示してあるが、この実施例２に係る天端出し補助具１０においては、上記実施例１に係る天端出し補助具１０における各構成部材の殆どをそのまま踏襲しているものであるため、実施例１と共通する部材については、各図面中に、実施例１で使用したのと同一符号を付すことによって、それらの詳細な説明を省略する。
【００７３】
この実施例２の、実施例１との差異は、縦筋取付部１４を採用していないこと、その代わり、本体部１１に一体化した交差鉄筋当接部１５を有していること、そして、本体部１１の上下方向の長さが、実施例１のそれより少し短いことである。この実施例２に係る天端出し補助具１０は、実施例１のそれと同様に、横筋取付部１３にて横筋２１の任意の位置に取付け可能にした点は踏襲しているものである。
【００７４】
この実施例２で採用している交差鉄筋当接部１５は、本体部１１の、横筋取付部１３とは反対側側面に一体化したものであり、かつ、横筋取付部１３の延在方向とは反対側に向けて伸びたものである。この交差鉄筋当接部１５は、横筋２１と縦筋２２とが交差する箇所で当該天端出し補助具１０を積極的に使用することで、この縦筋２２を利用して、横筋２１に対する回動を簡単に止められるようにするものである。
【００７５】
交差鉄筋当接部１５は、当該天端出し補助具１０を鉄筋に取付けたとき、横筋２１と縦筋２２との交差部分に当接するものであり、図９に示したように、本体部１１の、横筋取付部１３の近傍に位置する部分に一体化されるものである。この部分には、実施例１に係る天端出し補助具１０の縦筋取付部１４が一体化されることはないから、この交差鉄筋当接部１５を単独で使用することは勿論、この交差鉄筋当接部１５と共に上記縦筋取付部１４を採用することは十分可能である。
【００７６】
そして、この交差鉄筋当接部１５は、図８に示したように、当該天端出し補助具１０を横筋２１に取付けた後に、横筋２１と縦筋２２との交差部分に当接されるのであるが、これによって、当該交差鉄筋当接部１５は、横筋取付部１３にての横筋２１に対する天端出し補助具１０の回動を阻止することになる。
【００７７】
ところで、横筋２１と縦筋２２との交差部分には、図８の（ｂ）に示したように、節２１ａが盛り上がっていたり、結束線２３が結ばれていたりすることがあり、その部分に交差鉄筋当接部１５が当接すると、本体部１１の垂直状態を阻害することになる。何故なら、節２１ａが盛り上がっていたり、結束線２３が結ばれていたりする部分は、縦筋２２の他の部分より膨らんでいるから、この膨らんだ部分に交差鉄筋当接部１５が当接すると、その分、本体部１１を傾斜させてしまうことになるからである。そこで、本実施例２に係る天端出し補助具１０では、図８及び図９の各（ａ）に示したように、交差鉄筋当接部１５を分割して、上記節２１ａや結束線２３を避けられるようにしている。
【００７８】
すなわち、この実施例２に係る天端出し補助具１０では、図８及び図９の各（ａ）に示したように、上下一対の押え片１５ａの間に一つの逃げ片１５ｂを形成することによって、交差鉄筋当接部１５を３分割したものであり、当該天端出し補助具１０を鉄筋に取付けたとき、中央の逃げ片１５ｂのみが節２１ａや結束線２３に当接するようにしたものである。交差鉄筋当接部１５を３分割した結果、特に、逃げ片１５ｂは、本体部１１に対してそれぞれ撓み易いものとなる。
【００７９】
その結果、当該天端出し補助具１０を鉄筋に取付けるにあたって、図８の（ａ）及び（ｂ）に示したように、中央の逃げ片１５ｂのみが節２１ａや結束線２３に当接し、上下の各押え片１５ａは節２１ａや結束線２３を避けるようにすれば、逃げ片１５ｂは節２１ａや結束線２３の存在によって外側に撓むが、各押え片１５ａは縦筋２２に自然な状態で当接したものとなる。換言すれば、節２１ａや結束線２３の膨らみ部分は、逃げ片１５ｂの撓みによって逃げられるから、当該交差鉄筋当接部１５を一体化している本体部１１は傾斜することにはならない。
【符号の説明】
【００８０】
１０    天端出し補助具
１１    本体部
１１ａ  目印体取付穴
１１ｂ  目印体係止突起
１１ｃ  目印体押え部
１２    目印体
１２ａ  ネジ山
１２ｂ  生コンポインター
１２ｃ  レベラーポインター
１３    横筋取付部
１３ａ  開口
１３ｂ  横筋収納部
１３ｃ  案内片
１３ｄ  導入面
１４    縦筋取付部
１５    交差鉄筋当接部
１５ａ  押え片
１５ｂ  逃げ片
２１    横筋
２１ａ  節
２２    縦筋
２３    結束線
３１    生コンクリート
３２    レベラー
【要約】
【課題】横筋の何処にでも素手で簡単に取り付けることができて、その取り付け位置の調整も容易に行うことができ、構造を簡単にして安価に提供することもできる天端出し補助具を提供すること。
【解決手段】本体部１１に、コンクリート構造物を構成する横筋２１が嵌合される横筋収納部１３ｂを有した横筋取付部１３を形成するとともに、横筋収納部１３ｂの下方を、横筋取付部１３の下部に横方向に形成した開口１３ａにて、横筋２１に向けて開放させ、開口１３ａの開口端縁の一方に、本体部１１の一側面から横筋２１を導入するための導入面１３ｄを形成し、他方の開口端縁に、横筋２１を案内する案内片１３ｃを形成したこと。
【選択図】図１【図１】
0005124053.tif 000002
【図２】
0005124053.tif 000003
【図３】
0005124053.tif 000004
【図４】
0005124053.tif 000005
【図５】
0005124053.tif 000006
【図６】
0005124053.tif 000007
【図７】
0005124053.tif 000008
【図８】
0005124053.tif 000009
【図９】
0005124053.tif 000010
【図１０】
0005124053.tif 000011
【図１１】
0005124053.tif 000012
【図１２】
0005124053.tif 000013
【図１３】
0005124053.tif 000014
【図１４】
0005124053.tif 000015
【図１５】
0005124053.tif 000016
【図１６】
0005124053.tif 000017
【図１７】
0005124053.tif 000018
【図１８】
0005124053.tif 000019
【図１９】
0005124053.tif 000020
【図２０】
0005124053.tif 000021